(57)【要約】【課題】複数の支持部材同士を十分に接続することができる接続部材を提供する。【解決手段】  ジョイント１３０（接続部材）は、部材（物品や載置部材）を支持する複数の支柱１２０（支持部材）を備えた棚１００の支柱同士の接続に用いる。ジョイントは、各々の支柱と接続する複数のブランチ１３１（第１部材）、複数のブランチを連結するベース１３２（第２部材）を有する。ブランチは、当接面１３１ａから突出した軸部１３１ｂ、軸部の先端から当接面に対向し当接面に沿って部分的に延在した長方形状の凸部１３１ｃを備える。ベースは、６つの被当接面１３２ａから内部の孔１３２ｆまで貫通した第１開口部１３２ｂ、第１開口部から被当接面に沿って部分的に延在した長方形状の第２開口部１３２ｃを備える。ジョイントは、ブランチの凸部をベースの第２開口部に挿入し、凸部を回転させて、ブランチとベースを連結する。【選択図】図６
2017210993.tif 000002
【特許請求の範囲】
【請求項１】
棒状に形成され部材を支持する複数の支持部材を備えた棚の前記支持部材同士の接続に用いる接続部材であって、
各々の前記支持部材と接続する複数の第１部材と、
多面体から形成され複数の前記第１部材を一体的に連結する第２部材と、を有し、
前記第１部材および前記第２部材のうちの一方の部材は、当接面から突出した軸部と、前記軸部の先端から前記当接面に対向しつつ前記当接面に沿って部分的に延在した長方形状の凸部と、を備え、
前記第１部材および前記第２部材のうちの他方の部材は、各々の前記当接面と当接する２つ以上の被当接面から内部の孔まで貫通した第１開口部と、前記第１開口部から前記被当接面に沿って部分的に延在し前記凸部に対応する長方形状の第２開口部と、を備え、
前記凸部を前記第２開口部に挿入し、前記凸部と前記第２開口部とを前記軸部を中心にして相対的に回転させることによって、前記第１部材と前記第２部材とを互いに連結自在に構成する、接続部材。
【請求項２】
前記第２部材は、６面体から形成され、６つの前記被当接面に、前記第１開口部と前記第２開口部とが形成されている、請求項１に記載の接続部材。
【請求項３】
前記第１部材は、前記当接面に沿って互いに異なる方向に延在した複数の前記凸部を備え、
前記第２部材は、各々の前記凸部に対応し、前記被当接面に沿って互いに異なる方向に延在した複数の前記第２開口部を複数備えている、請求項１または２に記載の接続部材。
【請求項４】
前記第１部材は、前記軸部から前記当接面に沿って径方向外方に突出した突起部を、さらに備え、
前記第２部材は、前記軸部を中心とした前記突起部の回転方向の後方に位置するように、前記第２開口部に隣接した前記被当接面の一部を切り欠いた切欠部を、さらに備えた、請求項１〜３のいずれか１項に記載の接続部材。
【請求項５】
前記第１部材は、筒状に形成された前記支持部材の一端から挿入され、前記支持部材の内部に接する外周面に突起が形成されている、請求項１〜４のいずれか１項に記載の接続部材。
【請求項６】
前記第１部材は、筒状に形成された前記支持部材の一端から挿入され、前記支持部材の内部に接する外周面の形状が先細りしている、請求項１〜５のいずれか１項に記載の接続部材。
【請求項７】
前記第２部材は、内部の前記孔に臨む連通口を備えた５つの側壁からなる箱体と、前記箱体とは別個に形成され開口を覆う１つの側壁からなる蓋体と、から構成されている、請求項１〜６のいずれか１項に記載の接続部材。
【請求項８】
板状に形成され、当接面から突出した軸部と、前記軸部の先端から前記当接面に対向しつつ前記当接面に沿って部分的に延在した長方形状の凸部と、を備え、前記凸部を前記第２部材の前記第２開口部に挿入し、前記凸部と前記第２開口部とを前記軸部を中心にして相対的に回転させることによって、前記第２部材の前記被当接面を封止する封止部材を、さらに有する、請求項１〜７のいずれか１項に記載の接続部材。
【請求項９】
板状に形成され物品を載置する載置部材と、
棒状に形成され前記載置部材を支持する複数の支持部材と、
請求項１〜８のいずれか１項に記載の接続部材と、を有する、棚。
【発明の詳細な説明】
【技術分野】
【０００１】
本発明は、接続部材および接続部材を備えた棚に関する。
【背景技術】
【０００２】
従来から、複数の支持部材（支柱）同士の接続に用いる接続部材（ジョイント部材）がある。接続部材によって、支持部材同士が任意に接続され、棚（組立構造体）が構成される。接続部材は、支持部材と接続する複数の第１部材（継手部）と、複数の第１部材を一体的に連結する第２部材（本体部）を有している。接続部材は、第１部材（継手部）の四角形の拡張部を、第２部材（本体部）の四角形の窓枠部の内部に挿入して相対的に回転させることによって、互いに連結している（特許文献１を参照。）。
【先行技術文献】
【特許文献】
【０００３】
【特許文献１】特開２００７−２３２１６７号公報
【発明の概要】
【発明が解決しようとする課題】
【０００４】
特許文献１に記載の構成では、接続部材の第１部材（継手部）の拡張部を第２部材（本体部）の窓枠部の内部に挿入して相対的に回転させても、第１部材（継手部）の拡張部が、その四隅の角部しか第２部材（本体部）と接触しない（図５を参照）。このような構成では、例えば接続部材が外部から衝撃を受けると、第１部材（継手部）が第２部材（本体部）から脱落する虞がある。すなわち、接続部材は、複数の支持部材同士を十分に連結することが難しい。
【０００５】
本発明は、上記の課題を解決するためになされたものであり、複数の支持部材同士を十分に接続することができる接続部材の提供を目的とする。さらに、本発明は、上記接続部材を備え、使用者の要望に応じて様々な形状から構成することができる棚の提供を目的とする。
【課題を解決するための手段】
【０００６】
上記目的を達成するための本発明の接続部材は、棒状に形成され部材を支持する複数の支持部材を備えた棚の前記支持部材同士の接続に用いる。前記接続部材は、各々の前記支持部材と接続する複数の第１部材と、多面体から形成され複数の前記第１部材を一体的に連結する第２部材と、を有する。前記第１部材および前記第２部材のうちの一方の部材は、当接面から突出した軸部と、前記軸部の先端から前記当接面に対向しつつ前記当接面に沿って部分的に延在した長方形状の凸部と、を備える。前記第１部材および前記第２部材のうちの他方の部材は、各々の前記当接面と当接する２つ以上の被当接面から内部の孔まで貫通した第１開口部と、前記第１開口部から前記被当接面に沿って部分的に延在し前記凸部に対応する長方形状の第２開口部と、を備える。ここで、前記凸部を前記第２開口部に挿入し、前記凸部と前記第２開口部とを前記軸部を中心にして相対的に回転させることによって、前記第１部材と前記第２部材とを互いに連結自在に構成する。
【０００７】
上記目的を達成するための本発明の棚は、板状に形成され物品を載置する載置部材と、複数の前記支持部材と、複数の前記接続部材と、を有する。
【発明の効果】
【０００８】
接続部材によれば、凸部を第２開口部に挿入し、凸部と第２開口部とを軸部を中心に回転させることによって、凸部を第２開口部に隣接した部分に十分に接触させることができる。すなわち、接続部材は、複数の第１部材と第２部材とを互いに強固に連結できることから、複数の支持部材同士を十分に接続することができる。この接続部材を備えた棚によれば、載置部材、支持部材および接続部材を十分に組み合わせて、使用者の要望に応じて様々な形状から構成することができる。
【図面の簡単な説明】
【０００９】
【図１】実施形態の棚を示す斜視図である。
【図２】図１の棚の要部を分解して示す斜視図である。
【図３】実施形態のジョイントの一部を分解して示す斜視図である。
【図４】ジョイントを構成するブランチをベースから取り外す状態を示す斜視図であって、（Ａ）はブランチをベースから取り外す前の状態を示し、（Ｂ）はブランチをベースから取り外している途中の状態を示し、（Ｃ）はブランチをベースから取り外した後の状態を示している。
【図５】ブランチの要部を示す斜視図である。
【図６】ブランチをベースに対して所定の角度で位置決めして取り付ける状態を模式的に示す端面図であって、（Ａ）はベースを示し、（Ｂ）はブランチをベースに取り付けている途中の状態を示し、（Ｃ）はブランチをベースに位置決めして取り付けた後の状態を示している。
【図７】フタをベースから取り外す状態を示す斜視図であって、（Ａ）はフタをベースから取り外す前の状態を示し、（Ｂ）はフタをベースから取り外している途中の状態を示し、（Ｃ）はフタをベースから取り外した後の状態を示している。
【図８】ジョイントの様々な例を示す斜視図であって、（Ａ）は１つのブランチをベースに取り付けた形態を示し、（Ｂ）は２つのブランチをベースに取り付けた形態を示し、（Ｃ）は３つのブランチをベースに取り付けた形態を示し、（Ｄ）は４つのブランチをベースに取り付けた形態を示し、（Ｅ）は５つのブランチをベースに取り付けた形態を示し、（Ｆ）は６つのブランチをベースに取り付けた形態を示している。
【発明を実施するための形態】
【００１０】
以下、添付した図面を参照しながら、本発明の実施形態を説明する。図面において、同一の部材には同一の符号を付し、重複する説明を省略する。図面において、各部材の大きさや比率は、実施形態の理解を容易にするために誇張し、実際の大きさや比率とは異なる場合がある。
【００１１】
図において、Ｘ、Ｙ、およびＺによって表す矢印は、棚１００の方向を示している。Ｘによって表す矢印は、棚１００の横幅方向を示している。Ｙによって表す矢印は、棚１００の奥行方向を示している。Ｚによって表す矢印は、棚１００の上下方向を示している。
【００１２】
図１は、実施形態の棚１００を示す斜視図である。図２は、図１の棚１００の要部を分解して示す斜視図である。図３は、実施形態のジョイント１３０の一部を分解して示す斜視図である。図４は、ジョイント１３０を構成するブランチ１３１をベース１３２から取り外す状態を示す斜視図である。図５は、ブランチ１３１の要部を示す斜視図である。図６は、ブランチ１３１をベース１３２に対して所定の角度で位置決めして取り付ける状態を模式的に示す端面図である。図７は、フタ１３３をベース１３２から取り外す状態を示す斜視図である。図８は、ジョイント１３０の様々な例を示す斜視図である。
【００１３】
図１および図２等を参照して、実施形態に係るジョイント１３０（接続部材に相当する）は、概説すれば、棒状に形成され部材（物品または天板１１０）を支持する複数の支柱１２０（支持部材に相当する）を備えた棚１００の支柱１２０同士の接続に用いる。
【００１４】
ジョイント１３０は、各々の支柱１２０と接続する複数のブランチ１３１（第１部材に相当する）と、多面体から形成され複数のブランチ１３１を一体的に連結するベース１３２（第２部材に相当する）と、を有している。
【００１５】
ジョイント１３０のブランチ１３１は、当接面１３１ａから突出した軸部１３１ｂと、軸部１３１ｂの先端から当接面１３１ａに対向しつつ当接面１３１ａに沿って部分的に延在した長方形状の凸部１３１ｃと、を備えている。ジョイント１３０のベース１３２は、各々のブランチ１３１の当接面１３１ａと当接する６つの被当接面１３２ａから内部の孔１３２ｆまで貫通した第１開口部１３２ｂと、第１開口部１３２ｂから被当接面１３２ａに沿って部分的に延在し凸部１３１ｃに対応する長方形状の第２開口部１３２ｃと、を備えている。ここで、ジョイント１３０は、ブランチ１３１の凸部１３１ｃをベース１３２の第２開口部１３２ｃに挿入し、凸部１３１ｃと第２開口部１３２ｃとを軸部１３１ｂを中心にして相対的に回転させることによって、ブランチ１３１とベース１３２とを互いに連結自在に構成している。
【００１６】
図１および図２を参照して、実施形態に係る棚１００は、概説すれば、板状に形成され物品を載置する天板１１０と、上記の構成の構成からなる複数の支柱１２０と、上記の構成からなる複数のジョイント１３０と、を有する。
【００１７】
天板１１０の構成を詳述する。
【００１８】
天板１１０は、図１および図２に示すように、板状に形成され書籍や家電製品等の物品（不図示）を載置する。天板１１０は、長方形状の平板から形成されている。天板１１０は、水平にした状態において、例えば、Ｙ方向に対向した一対の第１支柱１２０Ａの上部に載せるようにして配置する。天板１１０は、図１に示す棚１００において、互いに離間させた状態においてＺ方向に沿って４つ配置している。天板１１０は、例えば、切断可能な硬質の紙材から構成されている。天板１１０は、Ｘ方向に沿って配置された一対の第１支柱１２０Ａの長さや、Ｙ方向に沿って配置された一対の第２支柱１２０Ｂの長さに合わせて、任意の大きさに切断して形成することができる。天板１１０は、十分な強度を備えるために、木材、プラスチックス、または金属から構成してもよい。天板１１０は、色彩を異ならせたり艶出し等の表面処理を施したりすることによって、一定の美観を備えることができる。
【００１９】
天板１１０は、外部から衝撃が加わった場合の脱落防止のために、四隅に正方形の切欠き（不図示）を形成してもよい。このような構成の場合、天板１１０の長手方向（Ｘ方向）に沿った両側を一対の第１支柱１２０Ａに載せ、かつ、天板１１０の短手方向（Ｙ方向）に沿った両側を一対の第２支柱１２０Ｂに載せる。天板１１０は、その四隅に備えた切欠きをＺ方向に沿って配置された支柱１２０に嵌合させて位置ずれを抑制する。
【００２０】
同様に、天板１１０は、外部から衝撃が加わった場合の脱落防止のために、その長手方向に沿った両側を下方に向かってＬ字状に折り曲げて爪（不図示）を形成してもよい。このような構成の場合、天板１１０は、その長手方向に沿った両側に備えた爪によって一対の第１支柱１２０Ａを外方から挟み込むようにして位置ずれを抑制する。
【００２１】
支柱１２０の構成を詳述する。
【００２２】
支柱１２０は、図１および図２に示すように、棒状に形成され天板１１０を支持する。支柱１２０は、例えば、断面が四角形からなる中空の棒状に形成されている。支柱１２０は、図１に示すように、長方形状の天板１１０を互いに離間させた状態において、Ｚ方向に沿って複数配置する。支柱１２０は、任意の長さに切断可能な紙材から構成されている。支柱１２０は、その長さだけを変えることによって、以下に説明する第１支柱１２０Ａ、第２支柱１２０Ｂ、第３支柱１２０Ｃ、第４支柱１２０Ｄおよび第５支柱１２０Ｅから構成している。
【００２３】
第１支柱１２０Ａは、図１に示すように、水平面上に倒した状態においてＹ方向に対向するようにして一対備え、天板１１０の長手方向（Ｘ方向）に沿った両側を下方から支持している。一対の第１支柱１２０Ａは、４角形の外形形状からなる一面（上面）を水平面上に沿って位置させることによって、その一面（上面）を天板１１０に対して面接触させて、天板１１０を安定して支持する。
【００２４】
第２支柱１２０Ｂは、図１に示すように、Ｘ方向に沿って対向するようにして一対備え、一対の第１支柱１２０Ａを一定の間隔に維持することによって、その一対の第１支柱１２０Ａを介して天板１１０を支持している。一対の第１支柱１２０Ａと一対の第２支柱１２０Ｂは、棚１００の四隅に位置したジョイント１３０によって、環状に組み合わされている。
【００２５】
第３支柱１２０Ｃは、図１に示すように、棚１００の最下部の四隅に起立して配置されている。４本の第３支柱１２０Ｃは、１段目（最下部）の天板１１０を支持する一対の第１支柱１２０Ａと一対の第２支柱１２０Ｂに接続した４つのジョイント１３０に接続されている。４本の第３支柱１２０Ｃは、一対の第１支柱１２０Ａと一対の第２支柱１２０Ｂを介して天板１１０を支持している。４本の第３支柱１２０Ｃは、棚１００の足に相当する。
【００２６】
第４支柱１２０Ｄは、図１に示すように、棚１００に備えられた天板１１０（３段目）と天板１１０（２段目）の間の四隅に位置するように起立して配置されている。また、第４支柱１２０Ｄは、棚１００に備えられた天板１１０（２段目）と天板１１０（１段目）の間の四隅に位置するように起立して配置されている。４本を一組とした第４支柱１２０Ｄの上部および下部は、各々の天板１１０を支持する第１支柱１２０Ａおよび第２支柱１２０Ｂに接続された４つのジョイント１３０に接続されている。４本を一組とした第４支柱１２０Ｄは、一対の第１支柱１２０Ａと一対の第２支柱１２０Ｂを介して、各々の天板１１０を支持している。
【００２７】
第５支柱１２０Ｅは、図１に示すように、棚１００に備えられた天板１１０（最上部の４段目）と天板１１０（３段目）の間の四隅に位置するように起立して配置されている。第５支柱１２０Ｅは、第４支柱１２０Ｄよりも長さが短い。
【００２８】
ジョイント１３０の構成を詳述する。
【００２９】
ジョイント１３０は、図１〜図７に示すように、支柱１２０同士の接続等に用いる。ジョイント１３０は、各々の支柱１２０と接続する複数のブランチ１３１と、複数のブランチ１３１を一体的に連結するベース１３２と、ベース１３２の被当接面１３２ａを封止するフタ１３３（封止部材に相当する）と、を有している。
【００３０】
ジョイント１３０は、図６（Ｂ）に示すようにブランチ１３１の凸部１３１ｃをベース１３２の第２開口部１３２ｃに挿入してから、図６（Ｃ）に示すようにブランチ１３１の凸部１３１ｃをベース１３２の孔１３２ｆにおいてベース１３２の軸部１３１ｂを中心に回転させて用いる。このように構成することによって、ジョイント１３０は、図６（Ｃ）に示すようにブランチ１３１の凸部１３１ｃをベース１３２の孔１３２ｆの内面に引っ掛けて、ブランチ１３１とベース１３２とを互いに連結自在に構成している。ブランチ１３１は、その当接面１３１ａと凸部１３１ｃとによって、ベース１３２の被当接面１３２ａを含む側壁の部分を挟み込むようにして、ベース１３２と連結している。ブランチ１３１は、例えば、支柱１２０を接続した状態において、ベース１３２と連結する。
ジョイント１３０の各構成部材（ブランチ１３１、ベース１３２、およびフタ１３３）について説明する。
【００３１】
ブランチ１３１は、図１および図２に示すように、各々の支柱１２０の一端に挿入することによって、それらの支柱１２０と接続される。
【００３２】
ブランチ１３１は、図４（Ｃ）および図５に示すように、ベース１３２と当接する四角形状からなる当接面１３１ａに、軸部１３１ｂを備えている。軸部１３１ｂは、短尺状の円柱形状から形成され、当接面１３１ａの中央から突出するように形成されている。軸部１３１ｂは、その先端に４つの凸部１３１ｃを備えている。４つの凸部１３１ｃは、軸部１３１ｂの先端から当接面１３１ａに対向しつつ（当接面１３１ａから離間した状態において）、当接面１３１ａの外縁に向かって互いに異なる方向に延在している。すなわち、４つの凸部１３１ｃは、軸部１３１ｂの先端から径方向外方に向かって部分的に延在しつつ、軸部１３１ｂを中心として、軸部１３１ｂの周方向に沿って９０°毎に形成されている。
【００３３】
ブランチ１３１は、図５に示すように、軸部１３１ｂから当接面１３１ａに沿って延在した突起部１３１ｄを１つ備えている。突起部１３１ｄは、４つの凸部１３１ｃのうち、１つの凸部１３１ｃと隣接している。突起部１３１ｄは、ベース１３２の切欠部１３２ｄに引っ掛けるものである。すなわち、図６（Ｂ）に示すようにブランチ１３１の凸部１３１ｃをベース１３２の第２開口部１３２ｃに挿入してから、図６（Ｂ）から図６（Ｃ）に示すようにブランチ１３１の凸部１３１ｃをベース１３２の孔１３２ｆにおいて回転させると、図６（Ｃ）に示すようにブランチ１３１の突起部１３１ｄがベース１３２の切欠部１３２ｄに接触して停止する。この結果、ブランチ１３１は、ベース１３２に所定の角度で連結される。
【００３４】
ブランチ１３１は、図３および図４に示すように、当接面１３１ａから軸部１３１ｂとは反対側に向かって延伸し長方体からなる接続部１３１ｍを備えている。接続部１３１ｍは、筒状に形成された支柱１２０の一端に圧入され、その支柱１２０と接続される。接続部１３１ｍは、支柱１２０の内部の形状よりも若干大きく形成したり、表面に微細な凹凸を形成したりすることによって、支柱１２０との摩擦力を高めて、ブランチ１３１と支柱１２０との接続を強固にしてもよい。
【００３５】
ブランチ１３１の接続部１３１ｍは、図３および図４に示すように、支柱１２０の内部に接する外周面１３１ｅに、突起１３１ｆが形成されている。突起１３１ｆは、対向する２つの外周面１３１ｅに、支柱１２０に対する接続部１３１ｍの挿入方向と直交（交差）する方向に沿って線状に延在している。突起１３１ｆは、各々の外周面１３１ｅに２つ備えている。
【００３６】
ブランチ１３１の接続部１３１ｍは、図３および図４に示すように、外周面１３１ｅの形状が先細りとなるように、その先端を内方に向かって傾斜させた傾斜部１３１ｎを備えている。接続部１３１ｍは、図３に示すように、外周面１３１ｅと隣接し対向する２つの面に空隙１３１ｇを備えている。空隙１３１ｇは、外部に臨む大きな窪みであって、その内部に板状の梁１３１ｈが形成されている。梁１３１ｈは、十字状に交差した状態において、空隙１３１ｇを内部から補強している。
【００３７】
ブランチ１３１の当接面１３１ａは、微細な凹凸を形成することによって、ベース１３２の被当接面１３２ａとの摩擦力を高めて、ブランチ１３１とベース１３２との連結を強固にしてもよい。
【００３８】
ブランチ１３１は、図４に示すように、ベース１３２から取り外す。図４（Ａ）は、ブランチ１３１をベース１３２から取り外す前の状態を示している。図４（Ｂ）に示すように、図４（Ａ）に示す状態から引き続き、ブランチ１３１を反時計方向に回転させて、ブランチ１３１の凸部１３１ｃとベース１３２の第２開口部１３２ｃの位置を合わせる。図４（Ｃ）に示すように、図４（Ｂ）に示す状態から引き続き、ブランチ１３１をベース１３２から真っ直ぐに抜き出すようにして離間させて、ブランチ１３１をベース１３２から取り外す。ブランチ１３１をベース１３２に接続する場合は、図４（Ｃ）から図４（Ａ）に示す順で作業を行う。
【００３９】
ベース１３２は、図１〜図６に示すように、複数のブランチ１３１を任意の配置によって一体的に連結する。
【００４０】
ベース１３２は、図３に示すように、内部の孔１３２ｆに臨む連通口１３２ｅを備えた５つの側壁からなる箱体１３２Ｓと、箱体１３２Ｓの連通口１３２ｅを覆う１つの側壁からなる蓋体１３２Ｔから構成されている。ベース１３２は、箱体１３２Ｓに蓋体１３２Ｔを取り付けることによって、６面体から構成されている。ベース１３２は、６面体の各々の被当接面１３２ａに、ブランチ１３１の当接面１３１ａを当接させつつ連結可能である。各々の被当接面１３２ａは、同一の形状からなる第１開口部１３２ｂおよび第２開口部１３２ｃが形成されている。
【００４１】
ベース１３２の第１開口部１３２ｂは、図４および図６に示すように、円形状であって、被当接面１３２ａの中央から内部の孔１３２ｆまでそれぞれ貫通している。ベース１３２は、ブランチ１３１の各々の凸部１３１ｃに対応し、第１開口部１３２ｂの外周縁から径方向外方に向かって４つの第２開口部１３２ｃを備えている。４つの第２開口部１３２ｃは、それぞれ長方形状であって、第１開口部１３２ｂを中心に、被当接面１３２ａに沿って互いに異なる方向に部分的に延在しつつ孔１３２ｆに臨んでいる。すなわち、４つの第２開口部１３２ｃは、第１開口部１３２ｂの周方向に沿って９０°毎に形成されている。
【００４２】
ベース１３２は、図６（Ａ）に示すように、４つの第２開口部１３２ｃのうち、１つの第２開口部１３２ｃに切欠部１３２ｄを１つ備えている。切欠部１３２ｄは、第２開口部１３２ｃに隣接した被当接面１３２ａの一部を切り欠くようにして形成されている。
【００４３】
蓋体１３２Ｔは、図３に示すように、連通口１３２ｅに臨む側の裏面１３３ｄに、裏面１３３ｄから突出した目印１３２ｇが２つ形成されている。目印１３２ｇは、蓋体１３２Ｔの裏表を判別するための目印である。
【００４４】
フタ１３３は、図１〜図３および図７に示すように、ベース１３２においてブランチ１３１を連結しない被当接面１３２ａを封止する。
【００４５】
フタ１３３は、板状に形成され、ベース１３２の６つの被当接面１３２ａのうち、ブランチ１３１を連結していない被当接面１３２ａに接続する。フタ１３３は、ブランチ１３１の凸部１３１ｃを含む根元の部分に相当する。フタ１３３は、ブランチ１３１と同様に、当接面１３３ａから突出した軸部１３３ｂと、軸部１３３ｂの先端から当接面１３３ａに対向しつつ（当接面１３３ａから離間した状態において）当接面１３３ａに沿って部分的に延在した長方形状の凸部１３３ｃを備えている。フタ１３３は、ブランチ１３１と同様に、凸部１３３ｃをベース１３２の第２開口部１３２ｃに挿入し、凸部１３３ｃと第２開口部１３２ｃとを軸部１３３ｂを中心に回転させることによって、ベース１３２の被当接面１３２ａを封止する。
【００４６】
フタ１３３は、図７に示すように、ベース１３２から取り外す。フタ１３３をベース１３２から取り外す動作は、図４に示すブランチ１３１をベース１３２から取り外す動作と同一である。図７（Ａ）は、フタ１３３をベース１３２から取り外す前の状態を示している。図７（Ｂ）に示すように、図７（Ａ）に示す状態から引き続き、フタ１３３を反時計方向に回転させて、フタ１３３の凸部１３３ｃとベース１３２の第２開口部１３２ｃの位置を合わせる。図７（Ｃ）に示すように、図７（Ｂ）に示す状態から引き続き、フタ１３３をベース１３２から真っ直ぐに抜き出すようにして離間させて、フタ１３３をベース１３２から取り外す。フタ１３３をベース１３２に接続する場合は、図７（Ｃ）から図７（Ａ）に示す順で作業を行う。
【００４７】
ジョイント１３０を構成するブランチ１３１、ベース１３２、およびフタ１３３は、色彩を異ならせたり艶出し等の表面処理を施したりすることによって、一定の美観を備えたり物品を載置する際の目印とすることができる。フタ１３３は、使用者の目に触れやすいことから、カラフルな色彩を任意に選択できる構成としてもよい。ブランチ１３１は、接続部１３１ｍの色と、軸部１３１ｂおよび凸部１３１ｃの色を、互いに異ならせることによって、ベース１３２に挿入する部分（軸部１３１ｂおよび凸部１３１ｃ）を明確にしてもよい。ブランチ１３１、ベース１３２、およびフタ１３３は、プラスチックスから構成するが、金属または紙材から構成してもよい。
【００４８】
上述したジョイント１３０は、図８に示すように、様々な形態から構成することができる。
【００４９】
図８（Ａ）に、１つのブランチ１３１をベース１３２に取り付けた形態からなるジョイント１３０Ａを示す。ベース１３２においてブランチ１３１を連結していない５つの被当接面１３２ａは、フタ１３３によって目隠しされている。ジョイント１３０Ａは、例えば、棚１００を構成する一番下の支柱１２０にブランチ１３１を接続することによって、棚１００の台座として用いる。
【００５０】
図８（Ｂ）に、２つのブランチ１３１をベース１３２に取り付けた形態からなるジョイント１３０Ｂを示す。ベース１３２においてブランチ１３１を連結していない４つの被当接面１３２ａは、フタ１３３によって目隠しされている。ジョイント１３０Ｂは、例えば、棚１００の上部にアーケードを構成するように突出させた支柱１２０同士を接続する場合に用いる。
【００５１】
図８（Ｃ）に、３つのブランチ１３１をベース１３２に取り付けた形態からなるジョイント１３０Ｃを示す。ベース１３２においてブランチ１３１を連結していない３つの被当接面１３２ａは、フタ１３３によって目隠しされている。ジョイント１３０Ｃは、例えば、図１に示すように、棚１００の４段目（最上部）の天板１１０の四隅に位置するように配置して用いる。
【００５２】
図８（Ｄ）に、４つのブランチ１３１をベース１３２に取り付けた形態からなるジョイント１３０Ｄを示す。ベース１３２においてブランチ１３１を連結していない２つの被当接面１３２ａは、フタ１３３によって目隠しされている。ジョイント１３０Ｄは、例えば、図１に示すように、棚１００の３段目から１段目（最下部）の天板１１０の四隅に位置するように配置して用いる。ジョイント１３０Ｄは、図２〜図７を参照しつつ説明したジョイント１３０に相当する。
【００５３】
図８（Ｅ）に、５つのブランチ１３１をベース１３２に取り付けた形態からなるジョイント１３０Ｅを示す。ベース１３２においてブランチ１３１を連結していない１つの被当接面１３２ａは、フタ１３３によって目隠しされている。ジョイント１３０Ｅは、例えば、棚１００の側面において５つの支柱１２０を互いに異なる方向から組み合わせて支持する場合に用いる。
【００５４】
図８（Ｆ）に、６つのブランチ１３１をベース１３２に取り付けた形態からなるジョイント１３０Ｆを示す。ジョイント１３０Ｆは、例えば、棚１００の内部において６つの支柱１２０を互い異なる方向から組み合わせて支持する場合に用いる。
【００５５】
以上説明した実施形態の作用効果を説明する。
【００５６】
ジョイント１３０は、棒状に形成され部材を支持する複数の支柱１２０を備えた棚１００の支柱１２０同士の接続に用いる。ジョイント１３０は、各々の支柱１２０と接続する複数のブランチ１３１と、多面体から形成され複数のブランチ１３１を一体的に連結するベース１３２と、を有している。ジョイント１３０のブランチ１３１は、当接面１３１ａから突出した軸部１３１ｂと、軸部１３１ｂの先端から当接面１３１ａに対向しつつ当接面１３１ａに沿って部分的に延在した長方形状の凸部１３１ｃと、を備えている。ジョイント１３０のベース１３２は、各々のブランチ１３１の当接面１３１ａと当接する２つ以上の被当接面１３２ａから内部の孔１３２ｆまで貫通した第１開口部１３２ｂと、第１開口部１３２ｂから被当接面１３２ａに沿って部分的に延在し凸部１３１ｃに対応する長方形状の第２開口部１３２ｃと、を備えている。ここで、ジョイント１３０は、ブランチ１３１の凸部１３１ｃをベース１３２の第２開口部１３２ｃに挿入し、ブランチ１３１の凸部１３１ｃとベース１３２の第２開口部１３２ｃとを軸部１３１ｂを中心にして相対的に回転させることによって、ブランチ１３１とベース１３２とを互いに連結自在に構成する。
【００５７】
棚１００は、板状に形成され物品を載置する天板１１０と、上記の構成の構成からなる複数の支柱１２０と、上記の構成からなる複数のジョイント１３０と、を有する。
【００５８】
かかるジョイント１３０によれば、ブランチ１３１の長方形状の凸部１３１ｃをベース１３２の長方形状の第２開口部１３２ｃに挿入し、凸部１３１ｃと第２開口部１３２ｃとを軸部１３１ｂを中心にして相対的に回転させることによって、ブランチ１３１の凸部１３１ｃを、ベース１３２の第２開口部１３２ｃに隣接した部分に十分に接触させることができる。すなわち、ジョイント１３０は、複数のブランチ１３１とベース１３２とを互いに強固に連結できることから、複数の支柱１２０同士を十分に接続することができる。このジョイント１３０を備えた棚１００によれば、天板１１０、支柱１２０およびジョイント１３０を十分に組み合わせて、使用者の要望に応じて様々な形状から構成することができる。
【００５９】
さらに、ジョイント１３０を備えた棚１００は、工具を使用することなく、かつ、非力であっても、十分に組み立ておよび分解することができる。ジョイント１３０を構成するブランチ１３１とベース１３２の連結および分解は、直感に基づく理解によって、素手だけで簡単に行うことができる。ジョイント１３０と支柱１２０の接続および分解は、直感に基づく理解によって、素手だけで簡単に行うことができる。したがって、ジョイント１３０を備えた棚１００は、組み立てのマニュアルを紛失しても、分解して保管したり形状を変えて組み立てたりすることができる。
【００６０】
さらに、ジョイント１３０を備えた棚１００は、各々の天板１１０を独立した複数の支柱１２０によって支持する構成であることから、各構成部材（天板１１０、支柱１２０、およびジョイント１３０）を下方から順番に積み上げるようにして組み立てる必要がない。ジョイント１３０を備えた棚１００は、天板１１０を例えばＺ方向に沿って４段に配置するようにして構成する場合、下方（１段目）から組み立てたり、上方（４段目）から組み立てたりしても良いし、１〜４段目を別々に組み立ててから合体させてもよい。また、ジョイント１３０を備えた棚１００は、完成した後に、例えば２段目と３段目の間に天板１１０を追加して５段の構成にしたり、例えば間違えて組み立てた３段目の構成部材を取り外したりすることができる。
【００６１】
さらに、ジョイント１３０を備えた棚１００は、その棚１００を配置する部屋の大小や収納室の有無、および収納する物品の数量や大きさによって、構成を自在に組み替えて再構築して使用することができる。すなわち、ジョイント１３０を備えた棚１００は、実家から就職や進学に伴って一人暮らしとなり、結婚に伴って転居した後、出産等に伴って新居に移動したり単身赴任となったり、子供が独立してから介護施設に入居するような生活環境の変化に合わせて、その形状を自在に変更することができる。したがって、ジョイント１３０を備えた棚１００は、ライフスタイルの変化に合わせて、非常に汎用性の高い使用を実現することができる。
【００６２】
ベース１３２は、６面体から形成され、６つの被当接面１３２ａに、第１開口部１３２ｂと第２開口部１３２ｃとが形成されていることが好ましい。
【００６３】
かかるベース１３２によれば、当該ベース１３２の上下方向（Ｚ方向）、左右方向（Ｘ方向）および前後方向（Ｙ方向）の６つの被当接面１３２ａに対して、ブランチ１３１を任意に接続することができる。このベース１３２を備えた棚１００は、物品を載置する天板１１０を、上下（Ｚ方向）に複数設けて構成する場合において、その天板１１０を支持する支柱１２０同士を任意の配置によって接続できる。すなわち、ベース１３２の６面にブランチ１３１を連結可能な構成からなるジョイント１３０は、支柱１２０の多様な接続に対応できる。ベース１３２は、６面体にすることによって、その強度を十分に保つことできる。したがって、ベース１３２は、支柱１２０から荷重が掛かるブランチ１３１を十分に連結することができる。
【００６４】
ブランチ１３１は、当接面１３１ａに沿って互いに異なる方向に延在した複数の凸部１３１ｃを備え、ベース１３２は、各々の凸部１３１ｃに対応し、被当接面１３２ａに沿って互いに異なる方向に延在した複数の第２開口部１３２ｃを複数備えていることが好ましい。
【００６５】
かかるブランチ１３１およびベース１３２によれば、ブランチ１３１を、その複数の凸部１３１ｃを介してベース１３２に対して強固に連結することができる。このブランチ１３１を備えた棚１００は、外部から衝撃が加わったり、物品を載置した天板１１０から負荷が掛かったりしても、ブランチ１３１とベース１３２が分解することを防止して、安全に使用することができる。
【００６６】
ブランチ１３１は、筒状に形成された支柱１２０の一端から挿入され、支柱１２０に挿入される部分（接続部１３１ｍ）に、外部に臨む空隙１３１ｇと、空隙１３１ｇを間仕切りする板状の梁１３１ｈと、が形成されていることが好ましい。
【００６７】
かかるブランチ１３１によれば、空隙１３１ｇによって十分に軽量化しつつ、梁１３１ｈによって十分な強度を保つことができる。このブランチ１３１を備えた棚１００は、棚１００全体としての重量を軽減しつつ、支柱１２０をブランチ１３１によって強固に接続して、安全に使用することができる。
【００６８】
ブランチ１３１は、軸部１３１ｂから当接面１３１ａに沿って径方向外方に突出した突起部１３１ｄを、さらに備え、ベース１３２は、軸部１３１ｂを中心とした突起部１３１ｄの回転方向の後方に位置するように、第２開口部１３２ｃに隣接した被当接面１３２ａの一部を切り欠いた切欠部１３２ｄを、さらに備えることが好ましい。
【００６９】
かかるブランチ１３１によれば、突起部１３１ｄをベース１３２の切欠部１３２ｄに係止させることによって、ベース１３２に対して所定の角度で連結することができる。このブランチ１３１を備えた棚１００は、外部から衝撃が加わったり、物品を載置した天板１１０から負荷が掛かったりしても、支柱１２０が一方の方向に向かって回転することを防止できることから、安全に使用することができる。さらに、このブランチ１３１を備えた棚１００は、支柱１２０が多角形（例えば四角形）に形成されている場合、その支柱１２０の角度を一定に揃えて、支柱１２０の一面（上面）を天板１１０に面接触させて安定的に支持することができる。
【００７０】
ブランチ１３１は、筒状に形成された支柱１２０の一端から支柱１２０の内部に圧入されることが好ましい。
【００７１】
かかるブランチ１３１によれば、支柱１２０を内部から押圧するようにして支柱１２０と干渉することによって、支柱１２０から離間し難くすることができる。すなわち、ブランチ１３１は、支柱１２０に対して強固に接続することができる。このジョイント１３０を備えた棚１００は、外部から衝撃が加わったり、天板１１０に載置した物品から負荷が掛かったりしても、ジョイント１３０と支柱１２０との接続を十分に維持して、安全に使用することができる。
【００７２】
ブランチ１３１は、筒状に形成された支柱１２０の一端から挿入され支柱１２０の内部に接する外周面１３１ｅに突起１３１ｆが形成されていることが好ましい。
【００７３】
かかるブランチ１３１によれば、その外周面１３１ｅに形成された突起１３１ｆが、支柱１２０を内部から押圧することによって、支柱１２０から離間し難くすることができる。すなわち、ブランチ１３１は、支柱１２０に対して強固に接続することができる。
【００７４】
突起１３１ｆは、支柱１２０に対するブランチ１３１の挿入方向と交差する方向に沿って線状に延在していることが好ましい。
【００７５】
かかる突起１３１ｆによれば、ブランチ１３１の挿入方向と交差する方向に沿って支柱１２０を内部から押圧することから、ブランチ１３１を支柱１２０から非常に離間し難くすることができる。すなわち、ブランチ１３１は、支柱１２０に対して非常に強固に接続することができる。
【００７６】
ブランチ１３１は、筒状に形成された支柱１２０の一端から挿入され、支柱１２０の内部に接する外周面１３１ｅの形状が先細りしていることが好ましい。
【００７７】
かかるブランチ１３１によれば、支柱１２０に対して多少ずれている状態において近づけたとしても、先細りした部分がガイドとなることから、その支柱１２０に対して挿入し易い。したがって、ブランチ１３１は、支柱１２０に容易に接続することができる。
【００７８】
ベース１３２は、内部の孔１３２ｆに臨む連通口１３２ｅを備えた５つの側壁からなる箱体１３２Ｓと、箱体１３２Ｓとは別個に形成され連通口１３２ｅを覆う１つの側壁からなる蓋体１３２Ｔと、から構成されていることが好ましい。
【００７９】
かかるベース１３２によれば、ベース１３２を構成する箱体１３２Ｓおよび蓋体１３２Ｔを汎用性に優れた射出成型によって製造することができる。したがって、ジョイント１３０は、様々な仕様の箱体１３２Ｓおよび蓋体１３２Ｔを、廉価かつ短時間で多量に製造することができる。
【００８０】
蓋体１３２Ｔは、連通口１３２ｅに臨む側の裏面１３３ｄに、裏面１３３ｄから突出した目印１３２ｇ、または裏面１３３ｄに開口した目印が形成されていることが好ましい。
【００８１】
かかる蓋体１３２Ｔによれば、その向き（表裏）を、目印１３２ｇ等の有無によって判別することができる。したがって、蓋体１３２Ｔを、箱体１３２Ｓに対して所定の向き（表裏）に揃えて取り付けることができる。特に、ブランチ１３１をベース１３２に対して所定の方向に回して所定の角度で止める構成において、全てのブランチ１３１の回転留めの方向を統一することができる。
【００８２】
板状に形成され、ベース１３２の被当接面１３２ａを封止するフタ１３３を有することが好ましい。フタ１３３は、当接面１３３ａから突出した軸部１３３ｂと、軸部１３３ｂの先端から当接面１３３ａに対向しつつ当接面１３３ａに沿って部分的に延在した長方形状の凸部１３３ｃと、を備え、凸部１３３ｃをベース１３２の第２開口部１３２ｃに挿入し、凸部１３３ｃと第２開口部１３２ｃとを軸部１３３ｂを中心に回転させることによって、ベース１３２の被当接面１３２ａを封止する。
【００８３】
かかるフタ１３３によれば、ブランチ１３１を連結していない被当接面１３２ａを封止することによって、ベース１３２の強度を向上させることができる。フタ１３３は、ベース１３２の被当接面１３２ａを覆って、ベース１３２や支柱１２０の内部への塵の侵入を防止することができる。フタ１３３は、ベース１３２の被当接面１３２ａを目隠しして、一定の美観を奏することができる。
【００８４】
支柱１２０は、切断可能な紙材から構成されていることが好ましい。
【００８５】
かかる支柱１２０によれば、任意の長さに切断することによって、棚１００の形状を調整することができる。支柱１２０は、軽量な紙材から構成することによって、棚１００の重量を軽減することができる。
【００８６】
天板１１０は、切断可能な紙材から構成されていることが好ましい。
【００８７】
かかる天板１１０によれば、任意の大きさに切断することによって、棚１００の形状を調整することができる。天板１１０は、軽量な紙材から構成することによって、棚１００の重量を軽減することができる。
【００８８】
そのほか、本発明は、特許請求の範囲に記載された構成に基づき様々な改変が可能であり、それらについても本発明の範疇である。
【００８９】
例えば、実施形態において、ジョイント１３０は、ブランチ１３１が軸部１３１ｂと凸部１３１ｃとを備え、ベース１３２が第１開口部１３２ｂと第２開口部１３２ｃとを備える構成として説明したが、このような構成に限定されることはない。ジョイント１３０は、ブランチ１３１が第１開口部と第２開口部とを備え、ベース１３２が軸部と凸部とを備える構成としてもよい。
【００９０】
また、実施形態において、中空の支柱１２０の内部にブランチ１３１を挿入して接続する構成として説明したが、このような構成に限定されることはない。例えば、中空のブランチ１３１の内部に中実の支柱１２０を挿入して接続する構成としてもよい。
【００９１】
また、実施形態において、角棒形状の支柱１２０と長方体形状のブランチ１３１を接続していたが、このような構成に限定されることはない。例えば、円筒形状の支柱１２０と円柱形状のブランチ１３１を接続する構成としてもよい。
【符号の説明】
【００９２】
１００    棚、
１１０    天板（載置部材）、
１２０    支柱（支持部材）、
１２０Ａ  第１支柱（支持部材）、
１２０Ｂ  第２支柱（支持部材）、
１２０Ｃ  第３支柱（支持部材）、
１２０Ｄ  第４支柱（支持部材）、
１２０Ｅ  第５支柱（支持部材）、
１３０，１３０Ａ，１３０Ｂ，１３０Ｃ，１３０Ｄ，１３０Ｅ，１３０Ｆ  ジョイント（接続部材）、
１３１    ブランチ（第１部材）、
１３１ａ  当接面、
１３１ｂ  軸部、
１３１ｃ  凸部、
１３１ｄ  突起部、
１３１ｅ  外周面、
１３１ｆ  突起、
１３１ｇ  空隙、
１３１ｈ  梁、
１３１ｍ  接続部、
１３１ｎ  傾斜部、
１３２    ベース（第２部材）、
１３２ａ  被当接面、
１３２ｂ  第１開口部、
１３２ｃ  第２開口部、
１３２ｄ  切欠部、
１３２ｅ  連通口、
１３２ｆ  孔、
１３２ｇ  目印、
１３２Ｓ  箱体、
１３２Ｔ  蓋体、
１３３    フタ（封止部材）、
１３３ａ  当接面、
１３３ｂ  軸部、
１３３ｃ  凸部、
１３３ｄ  裏面、
Ｘ        棚１００の左右方向、
Ｙ        棚１００の奥行方向、
Ｚ        棚１００の上下方向。
【図１】
2017210993.tif 000003
【図２】
2017210993.tif 000004
【図３】
2017210993.tif 000005
【図４】
2017210993.tif 000006
【図５】
2017210993.tif 000007
【図６】
2017210993.tif 000008
【図７】
2017210993.tif 000009
【図８】
2017210993.tif 000010